(57)【要約】      （修正有）【課題】デジタル放送のＣＭや番組のＨＰのＵＲＬをパソコンと携帯電話にて表示可能にするための、パーソナルコンピュータまたは携帯電話と、テレビと、記録装置の組合せを提供する。【解決手段】現在急速に普及しつつある地上デジタル放送等の文字データ放送を進化させ、動画や音声情報に加え、ＵＲＬとＨＰタイトル名を放送電波で送信し、メインＣＰＵのバス回線に接続されたサブＣＰＵと直下の専用のバッファメモリーと命令セットを記憶した専用メモリーの内蔵により、高画質で高音質の放送を再生しつつ、個別のＣＭや番組毎にＵＲＬとＨＰタイトル名を抽出・記憶・視聴履歴データとして一覧表管理・記憶し、ＱＲコード（登録商標）をテレビ画面に表示又はパソコンの無線通信マウスの受信手段を利用し、パソコンや携帯電話でＨＰ表示を可能にする。【選択図】図１
0003149325.tif 000002
【実用新案登録請求の範囲】
【請求項１】
表示素子パネル、スピーカー、駆動ＬＳＩ、制御回路、チューナー回路、ＣＰＵ、ＲＡＭ、ＲＯＭ、ビデオＬＳＩ、電源回路、ＰＣＢ、Ｄ／Ａコンバータ、リモートコントローラ、キャビネット、操作パネル、外部記憶装置および該記憶装置への書き込みインターフェイス、時計機能、ＱＲコード変換手段、ＱＲコード表示手段を有するテレビと、前記テレビの画像および音声を記録するための記録装置と、前記テレビおよび記録装置の少なくともいずれかとの通信インターフェイスと無線マウスを有し、インターネットに接続されているパーソナルコンピュータまたは携帯電話を有し、デジタル放送のＣＭ・番組のＵＲＬを前記パーソナルコンピュータまたは前記携帯電話に表示可能なテレビおよび記録装置において、前記ＣＰＵはメインＣＰＵおよびサブＣＰＵの二つのＣＰＵからなり、前記メインＣＰＵは、主として、ハイビジョン放送の表示駆動制御、音声の再生、前記表示素子パネル駆動のためのデータ処理と管理キャパシティが割り当てられ、文字放送のＣＭまたは番組毎に、複数のＵＲＬおよびホームページタイトルを受信・抽出してサブＣＰＵから独立した直下のバッファメモリーに常時記憶し、前記リモートコントローラの操作によりサブＣＰＵから独立した直下の視聴履歴メモリーに書き込み、パソコンや携帯電話でホームページを表示するための、テレビ放送受信・復調・多重分離・ＭＰＥＧデコードを含む処理を行うテレビチューナーブロックの制御、およびＵＲＬ抽出・記憶・管理・ホームページ表示のため情報利用や電子番組表のＥＰＧ管理、リモートコントローラの制御を含むＪＯＢに特化した命令セットを実行する機能を有し、サブＣＰＵは、前記メインＣＰＵのバスライン直下に接続され、チューナー・ＵＲＬ抽出・表示・選択・利用・電子番組表のＥＰＧ管理・リモートコントローラ制御の回路区画ブロックを管理・制御する機能と、デジタル放送の映像・音声データの復調・多重分離装置やＭＰＥＧビデオとＭＰＥＧオーディオデータのデコードを含む処理にてＣＭや番組を前記表示素子パネルと前記スピーカーにて再生し、同時にリアルタイムで受信されたＣＭや番組のＵＲＬ・ホームページタイトル名の抽出手段と、視聴中の番組、ＣＭのＵＲＬ・ホームページタイトル名を常時記憶するための前記バッファメモリーと前記リモートコントローラの操作によりバッファメモリー内のデータの保存のために書き込みを行う前記視聴履歴メモリーと視聴履歴一覧表管理・表示・選択する手段と、視聴履歴メモリーに、カンマ又は改行記号の記号を区切りとする視聴履歴データを記憶し、データベースの一覧表としてメニュー管理し、前記視聴履歴一覧表より任意のＵＲＬ・ホームページタイトル名を選択し、前記無線マウスの前記パーソナルコンピュータ側の無線通信回線に通信する手段を有し、前記メインＣＰＵにてハイビジョンテレビ放送を受信して映像・音声再生を行うと同時に、前記記録装置においては、前記記憶装置に内蔵される記録媒体への書き込みのデータ処理をしつつ、前記サブＣＰＵと前記サブＣＰＵ直下の専用のメモリー内の命令セットを実行し、前記パーソナルコンピュータには、デジタル放送で受信したＵＲＬデータを前記パーソナルコンピュータで活用するための、パソコンのＨＤＤ内のホームページ閲覧ソフトのお気に入り・履歴データへデータの追記・書き替える機能を有するソフトウエアがインストールされ、ＵＲＬとホームページタイトルを、前記パーソナルコンピュータの前記無線マウスの無線通信回線と通信プロトコルにより、前記パーソナルコンピュータにＵＲＬとホームページタイトル名を送信し、放映されたＣＭまたは番組の特定のホームページを、検索エンジンとキーワードを一切使わずに、前記パーソナルコンピュータまたは前記携帯電話に表示可能なことを特徴とする、テレビおよび記録装置。
【請求項２】
請求項１記載の構成のテレビ並びに記録装置に於いて、メインＣＰＵにてハイビジョン放送のデータ処理し・表示素子パネルとスピーカーから映像と音声を再生しつつ、前記の再生とＵＲＬ抽出・記憶の並列処理を目指したサブＣＰＵを内蔵し、ＵＲＬ情報の抽出・パソコンや携帯電話での活用とＥＰＧの管理と赤外線リモコンを制御・管理し常時ＵＲＬとＨＰタイトル名の記憶するＵＲＬ・ＨＰタイトル名バッファメモリーと命令セットのプログラムを記憶したメモリーと時計機能と視聴中のチャンネル情報のメモリーをサブＣＰＵ直下に配し、受信された放送データよりＵＲＬとＨＰタイトル名を抽出し、視聴チャンネル名と時間を生成し、カンマ又は改行記号等でデータを区切られたＵＲＬとＨＰタイトル名と放送局と放映時間からなるデータベースのデータをＵＲＬバッファメモリーに常時更新記憶し、赤外線リモコンによる操作に基づきこのデータを視聴履歴メモリーに書き込み・蓄積し、テレビ画面に表示する為の一覧表管理・表示・選択手段とＵＲＬデータに基づき複数社の携帯電話会社用のＨＰを表示可能な二次元バーコードにデータ変換し、このコード情報をテレビ画面に表示させ、携帯電話に内蔵されているデジタルカメラにて撮影させ、放映された番組やＣＭの携帯電話用のＨＰを検索エンジンとキーワードを一切使用せずにインターネット接続の携帯電話にて表示させる事が可能な事を特徴とするテレビ並びに記録装置。
【請求項３】
請求項１記載の構成のテレビ並びに記録装置に於いて、サブＣＰＵとその直下に専用メモリーとＵＲＬ・ＨＰタイトル名の受信手段と、複数のＵＲＬ・ＨＰタイトル名の抽出手段と、ＪＯＢを実行するプログラムを記憶したメモリーと、複数の区画からなる構造を採用し書き込み・保持・消去のサイクルを各区画で位相を変えＡ・Ｂ・Ｃ・Ａ・Ｂ・・区画の順番を繰返し視聴中の番組・ＣＭや番組のＵＲＬ・ＨＰタイトル名を常時記憶する為のバッファメモリーと、赤外線リモコン操作によりバッファメモリーの内容を視聴履歴メモリーへの書き込みを行う一覧表管理手段を内蔵し、カンマ又は改行等の記号にてデータとデータを区切られた視聴履歴データとして管理し、テレビ画面に表示する為の一覧表管理・表示・選択手段の内蔵により一覧表としてデータ管理し一覧表メニューからの特定のＵＲＬを赤外線リモコンによる選択により、特定のＵＲＬのＨＰをインターネット接続されたパソコンや携帯電話で特定のＨＰの表示が可能な事を特徴とするテレビ並びに記録装置。
【請求項４】
請求項１記載の構成のテレビ並びに記録装置に於いて、サブＣＰＵとその直下に専用メモリーとＵＲＬ・ＨＰタイトル名の受信手段と、複数のＵＲＬ・ＨＰタイトル名の抽出手段と、複数の区画からなる区画を採用したバッファメモリーと視聴履歴メモリーと無線マウスの周波数と通信プロトコルを利用しインターネット接続パンコンにＵＲＬとＨＰタイトル名を無線マウスのパソコン側での無線通信回線に合わせ通信する手段をテレビや記録装置内に内蔵し、またパソコン側に無線制御回路と無線通信部と通信周波数とプロトコルをパソコン内のＨＤＤ内に記憶し、パソコン側とテレビ側の初期設定にて無線通信を成立させマッチングを図り周波数帯域とプロトコルを合わせる設定データをパソコンのＨＤＤに記憶可能な事を特徴とする記録装置。
【請求項５】
請求項１記載の構成のテレビ並びに記録装置に於いて、パソコンへのＵＲＬとＨＰタイトル名の取り込み・情報提供の際に、ＵＲＬ・ＨＰタイトル名の受信手段と複数のＵＲＬ・ＨＰタイトル名の抽出手段と視聴中の番組やＣＭのＵＲＬ・ＨＰタイトル名を常時記憶する為のバッファメモリーと赤外線リモコン操作によりカンマ又は改行等の記号を区切りとする視聴したバッファメモリー内に記憶したＵＲＬとＨＰタイトル名のデータの書き込みを行う視聴履歴メモリーとこれらにカンマ又は改行等の記号を区切りとする視聴履歴データの一覧表を管理しテレビ画面に表示する為の一覧表管理・表示手段、ＵＲＬ・ＨＰタイトル名を無線マウスのパソコン側での無線通信回線に合わせ通信する手段をテレビ並びに記録装置内に内蔵し、パソコン内の無線マウスの受信回線を利用し通信し、ＨＰ閲覧ソフトのお気に入りや履歴を書き替える為の書き替えるソフトをＨＤＤ内で実行させる事により、ＵＲＬとＨＰタイトル名をパソコン側にてＣＭスポンサーやＣＭの商品の通販サイトや番組のＨＰの表示をインターネット接続されたパソコンで正確に迅速に手間を掛けずにスマートに正確に表示できる事を特徴とするテレビ並びに記録装置。
【請求項６】
請求項１記載の構成のテレビ並びに記録装置に於いて、ＵＲＬ・ＨＰタイトル名の受信手段とＵＲＬ・ＨＰタイトル名の抽出手段と視聴中の番組やＣＭのＵＲＬ・ＨＰタイトル名を常時記憶する為のバッファメモリーと赤外線リモコン操作によりにバッファメモリーの内容の書き込みを行う視聴履歴メモリーとカンマ又は改行等の記号を区切りとする視聴履歴データの一覧表を管理しテレビ画面に表示する為の一覧表表示手段、ＵＲＬ・ＨＰタイトル名を無線マウスのパンコン側との無線通信回線に合わせて通信する手段をテレビ又は記録装置内に内蔵し、ＣＭや番組毎にＵＲＬとＨＰタイトル名と放送局と放映時間からなる視聴履歴を一日又は週単位で記憶・管理する事が可能な事を特徴とするテレビ並びに記録装置。
【請求項７】
請求項１記載の構成の記録装置に於いて、テレビ放映されたＭＰＥＧデータと複数のＵＲＬ・ＨＰタイトル名に、チャンネル名メモリーのデータと時計機能にて生成した日時のデータと組み合わせカンマ又は改行等の記号で区切られた生成された文字記号情報を、ＭＰＥＧデータとリンクを貼りつつＭＰＥＧの映像と音声データと共に記録装置の記録媒体への記憶書込みを行い、これらのメディアで録画データの再生時に於ける赤外線リモコンのボタン操作にてＵＲＬとＨＰタイトル名とチャンネル名と日時を抽出し、一覧表から選択し、ＵＲＬ情報のパソコンや携帯電話への情報提供・活用が可能な事を特徴とする記録装置。
【請求項８】
請求項１記載の構成のテレビ並びに記録装置に於いて、サブＣＰＵとその直下に専用メモリーとＵＲＬ・ＨＰタイトル名の受信手段と、複数のＵＲＬ・ＨＰタイトル名の抽出手段と、複数のメモリー区画からなる区画を採用したバッファメモリーと視聴履歴メモリーと無線マウスの周波数と通信プロトコルを利用しインターネット接続パソコンにＵＲＬとＨＰタイトル名を無線マウスのパソコン側での無線通信回線に合わせ通信する手段と暗号化手段をテレビや記録装置内に内蔵し、またパソコン側に複号化手段を内蔵し、無線通信のセキュリティを追求し、パソコンとテレビ間で他人にＵＲＬ等情報を盗み見られる事なくパソコンへデータ通信可能な事を特徴とする記録装置。
【考案の詳細な説明】
【技術分野】
【０００１】本考案は、デジタル放送の番組やＣＭにつき、インターネット上でホームページ（ＨＰ）を特定する番地を表すコードであるＵＲＬやＨＰタイトル名を受信し、パーソナルコンピュータ（パソコン）と携帯電話へのＵＲＬ等の情報提供により特定のＨＰ表示可能なテレビ装置並びにＨＤＤ・ＤＶＤ・ＢＤ（ブルーレイディスク）等の記録装置に関するものです。
【背景技術】
【０００２】本考案は、デジタル放送の番組やＣＭにつき、ＨＰのＵＲＬやＨＰタイトル名をパソコンと携帯電話にＨＰ情報の提供可能なテレビ並びに記録装置の技術分野に関する実用新案です。
【考案の開示】
【考案が解決しようとする課題】
【０００３】現在、日本経済は、好調な経済成長の牽引車となっていた第二次産業の輸出企業が北米のサブプライムローンと原油価格高騰の直撃を受け、大幅な減速を余儀なくされている。更に個人消費が回復されていない今日、原油価格高騰により運輸・漁業・農家が直撃を受け苦境が続く中、食料の５９％近くを海外からの輸入に依存する日本経済は、中央や地方政府の借金財政から大規模な公共事業の実施による景気底支えの手段が制約される中、インフレと不況の二重苦のスタグフレーションによる危機的から脱却の為の糸口を見出せていない。北京オリンピック特需により一部で薄型テレビ等の商品の販売が改善が見られるも、日本経済を低迷から脱出させるには至っておらず、テレビＣＭ放送を通じて消費者へ、より商品やサービスの魅力をよりアピールし、興味を持った消費者に対して、タイムリーに商品やサービスの魅力の紹介の為のＨＰのＵＲＬを電子的な手段にて正確にパソコンや携帯電話への提供を可能にし、消費行動を活性化する事が重要です。地上デジタル放送局の放送データの改変と本考案のテレビ装置の普及により、放送とネットを融合・連携させ、ＣＭ広告宣伝サービスの質の改革と市場拡大と消費者の利便性の高いテレビ・記録装置の開発と、海外でデジタル放送を開始した北米等の市場への本考案のテレビや記録装置の戦略的に輸出し、日本として戦略的な差別化を進め、ＩＴ技術を駆使し日本経済を強力に底支えする事が重要である。しかし現在ハイビジョンテレビは、走査線の数や縦横の画素数の大幅な増大・画質向上と迫力あるオーディオの音質の進化を受け、ＣＰＵはその情報処理・管理キャパシティと能力をハイビジョン映像とサラウンド音声の再生に裂かれ、ＣＭ放送等の短い放送毎に文字放送を活かし、高速にＵＲＬを記憶させ、パンコン等へのＵＲＬデータの転送等に活用するだけのＣＰＵの余力はない。更に記録装置には、ハイビジョン対応機種も数多く、デジタル放送電波を受信し信号処理し、高精細な描画と高音質なオーディオ再生に加え、光ディスクやＨＤＤへの書き込みをメインＣＰＵとコントローラの組み合わせで処理する事から、ＣＰＵへの負担・負荷は極めて大きく、例えシステムコントローラを内蔵しても、短いＣＭ放送や番組毎にＵＲＬ情報の抽出・記憶する付加的なＪＯＢを処理する事は、処理キャパシティから限界がある。これを受け、現在、テレビＣＭやネット通販やその他の番組では、検索エンジンにて検索結果の一覧で上位表示可能なキーワードを利用し、視聴者に検索させ、顧客に面倒な手続きを強い、任意のＨＰを検索させ、トップページから更に何ステップものリンクを辿り特定のＨＰを表示させ、経済行動を誘引しておりますが、ビジネスチャンスを充分に活かし切っているとは言えない。現在の地上デジタル放送の文字放送をベースに、ＨＰを特定する番地・アドレスであるＵＲＬとタイトル名からなる文字記号情報をＣＭや番組毎に送信、パソコンや携帯電話にて特定のＨＰの表示を、ハイビジョンやフルＨＤ等の高画質化・高速処理化や高音質化を追求しつつ、可能にするテレビと記録装置の放送システムの仕組みが構築できれば、時代を先取りしたデジタル宣伝広告メディア、デジタル放送の時代を先取りした画期的な利便性を追求した宣伝広告サービスにより広告宣伝需要の創造とニーズを先取りした顧客満足度追求の結果として、日本の国内経済での消費拡大と景気浮揚に結び付ける呼び水となる。その為には、ＵＲＬ抽出・記憶・管理・運用関連や電子番組表のＥＰＧ管理とテレビ放送受信・復調・多重分離・ＭＰＥＧデコード処理等のテレビチューナーや赤外線リモコンの管理・情報処理ＪＯＢに特化し、これら処理回路区画を専門に管理する、メインＣＰＵのバスライン直下に配した自律的に動作するサブＣＰＵにて情報処理作業を分担・分業するＪＯＢシェアリングを行い、パソコンに於けるデュアルコアＣＰＵと同様にデータの並列処理によるテレビや記録装置としてのパフォーマンスの向上が求められている。
【課題を解決するための手段】
【０００４】本考案は、現在の地上デジタル放送やＢＳ放送等のデジタル放送にて送信されるデジタル電波にてインターネット上のＨＰを特定するアドレス番地であるＵＲＬとＨＰタイトル名からなる文字記号情報を送信し、テレビ又は記録装置側で受信し、これらの電子機器の全体のデータ処理を管理するメインＣＰＵの処理を主として表示モジュールや音声のＤ／Ａコンバータ等のハイビジョン放送の映像と音声の高画質・高音質再生に専念させ、映像と音声放送を再生しつつ、チューナーやＥＰＧの管理やＵＲＬの読取・管理・ＵＲＬ情報利用や復調・多重分離・ＭＰＥＧデコード等の処理の管理に特化する、メインＣＰＵのバスに接続されたメインＣＰＵから独立した自律的なデータ処理を行う記憶装置を配したサブＣＰＵの内蔵によりＥＰＧ管理とＵＲＬ抽出・記憶・管理・転送・ＭＰＥＧデコード等の回路区画のＪＯＢの並列高速処理を行い、画素数・走査線が多く・サラウンド高音質のオーディオの再生の為のデータ処理・制御にメインＣＰＵを特化させ、サブＣＰＵとの役割分担によりメインＣＰＵへの負担の軽減と次世代広告サービスを担うＵＲＬ活用機能の付加による、両ＣＰＵによるＪＯＢシェアリング、連携処理・管理によりデジタル放送の特長を最大限活かしたパフォーマンスを追求するものです。受信された放送データより抽出したＵＲＬとＨＰタイトル名等データは、カンマやＴＡＢや改行等の記号で区切られた文字記号データとして記憶し、テレビや記録装置内のＵＲＬ・ＨＰタイトル名の抽出・記憶・管理・転送・利用と電子番組表のＥＰＧを管理する為のサブＣＰＵと直下にＵＲＬバッファメモリーと前記処理の実行プログラムを記憶したメモリーを配し、サブＣＰＵによる抽出等のインストラクションセットの実行処理を行い、視聴中の番組情報を検知し、ＵＲＬとＨＰタイトル名と放送局と時間から成るカンマや改行記号等の記号にて区切られたデータからなるデータベース情報として管理し、選択手段にて任意のＵＲＬとパソコンや携帯電話を選択し、ＵＲＬとＨＰタイトル名等を情報をパソコンや携帯電話へ提供し、パソコン又は携帯電話で特定のＨＰ表示を可能にするものです。メインＣＰＵのバスラインに接続されたＵＲＬ抽出・ＥＰＧ管理等用のメインＣＰＵから独立した命令セットを実行可能なサブＣＰＵの直下に、高速書き込みが可能なＵＲＬ・ＨＰタイトル名を記憶する為の３区画からなるバッファメモリーを内蔵し、書き込み・保存・消去のシーケンスを繰り返し、常に視聴中のＣＭ又は番組のＵＲＬ・ＨＰタイトルデータをバッファに記憶し、赤外線リモコン操作により、これを視聴履歴メモリーへ書き込み、データを保存する。  サブＣＰＵに接続された赤外線通信インターフェイスを介して赤外線リモコンによる記憶指示に基づき、ＵＲＬバッファメモリー内のデータを履歴メモリーに逐次追加記憶するものです。ＵＲＬ・ＨＰタイトル名用メモリーと一覧表管理手段とＵＲＬ選択手段にて、赤外線リモコンからの指示に基づき、テレビや記録装置側のＵＲＬとＨＰタイトル名の履歴メモリーに複数のＵＲＬ・ＨＰタイトル名等を蓄積し、視聴履歴として一覧表管理を行い、赤外線リモコンからの選択指示に基づき、テレビ内の無線通信手段にて選択したデータを���レビ内のアンテナと無線通信手段にて無線マウスのパソコン側の受信手段を介してＵＲＬデータをパソコンへ無線通信にて転送し、パソコン用のお気に入り・履歴を追加書き替えプログラムにてＨＰ閲覧ソフトのお気に入りや履歴に追加・書き替えを行い、視聴者が放映された商品やサービスにつき、キーワードや検索エンジンを利用せずに、特定のＨＰをインターネット接続のパソコンにてスマートにスピーディに面倒を掛けずにＨＰ閲覧できる事を特徴とするテレビ並びに記録装置に関するものです。更に現在大半の携帯電話に装備されているデジタルカメラで特定のＨＰの表示を目指し、赤外線リモコンの操作に基づき、記憶した視聴履歴一覧表より任意のデータを選択し、ＵＲＬの二次元バーコード変換・表示部にて二次元バーコードのＱＲコードに変換しメモリーに記憶しＵＲＬをテレビ内で携帯電話会社毎のＵＲＬのＱＲコードのＨＰを、テレビの画面にＨＰタイトル名付きで表示させ、携帯電話のカメラにて撮影し取り込み、インターネット接続の携帯電話にてＨＰを表示可能にするものです。
【考案の効果】
【０００５】現在の地上デジタルやＢＳ放送等のデジタル放送の文字情報にて、パソコンのＨＰ閲覧ソフトと携帯電話でのＨＰ表示利用を目的に、ＵＲＬとＨＰタイトル名を抽出・記憶・管理・選択・ＰＣへ通信・ＱＲコード表示を行い、ＨＰ表示を行う。テレビや記録装置側でデータを受信したＵＲＬ等のデータを、サブＣＰＵと専用の命令セットのメモリーを配する事により、ＴＡＢや改行等の記号で区切られたＵＲＬとＨＰタイトル名としてＵＲＬバッファメモリーに記憶し、テレビの赤外線リモコンによるボタン操作にてテレビ内の視聴履歴メモリーへ視聴中の放送局名と受信時間のデータを追加し、ＵＲＬとＨＰタイトル名履歴メモリーへ書き込みを行い、データベースとして管理・表示・選択により、無線通信マウスのパソコン側の受信回線を介してパソコンに取り込み、ＨＰ閲覧ソフトのお気に入りや履歴に追加記憶する事により、ＣＭや番組を視聴し気に入った商品やサービスが放映された場合、詳細なＨＰをインターネットに接続されたパソコンでＨＰを表示させる事が可能なテレビ並びに記録装置を実現するものです。更に携帯電話用には、赤外線リモコンのボタン操作指示により視聴ＵＲＬ一覧表画面より取り込みたいＵＲＬとＨＰタイトル名を選択し、ＱＲコードに変換し、携帯電話のデジタルカメラで撮影、ＵＲＬを取り込み可能な正方形の二次元ＱＲコードとしてテレビ画面に表示させ、カメラで撮影し、携帯電話にＨＰを表示させる事が可能なテレビ並びに記録装置。この事により、テレビ視聴者によるタイムリーなＨＰへのアクセス誘導により、テレビＣＭの広告宣伝サービスの質を高め、テレビショッピング番組で商品ごとに特定の商品のＨＰの表示を可能にし、視聴者参加番組での利用による視聴者の参画を可能にし、スポンサーのベネフィットを高め、広告宣伝需要の拡大を図ると共に、顧客に利便性の提供を目指すものです。  その結果として国内での消費拡大によりスタグフレーションが進行し低迷しつつある経済下で消費の拡大により、景気を回復軌道に押し上げるものです。
【考案を実施するための最良の形態】
【０００６】本考案を実現するための最良の形態について説明します。本考案は、現在急速に普及しつつある薄型ハイビジョンテレビの高精細・大容量表示とサラウンドオーディオのハイスペックを活かしつつ、ＣＭや番組の動画や音声再生と共に、受信したＵＲＬとＨＰタイトル名の情報を記憶し、テレビや記録装置にてパソコンや携帯電話でＨＰ表示を可能にする。受信された放送データよりＵＲＬとＨＰタイトル名抽出手段にて抽出したＵＲＬと視聴履歴一覧表管理・表示・選択手段とＵＲＬバッファメモリーの採用により、ＨＰタイトル名等のデータを、カンマやＴＡＢや改行等の記号で区切られた文字記号データとして一覧表データベースとして記憶・管理・表示・選択し、テレビや記録装置内でのＵＲＬ・ＨＰタイトル名の抽出・記憶・管理・転送・利用とＥＰＧ受信・表示・管理のＪＯＢを管理する為、サブＣＰＵと直下にＵＲＬバッファメモリーと前記処理の実行プログラムを記憶したメモリーを配し、サブＣＰＵによるＥＰＧ管理とテレビチューナーの管理と、ＵＲＬとＨＰタイトル名の記憶・抽出・管理・表示・選択等のインストラクションセットの実行処理を行い、視聴中の番組情報を検出し、ＵＲＬとＨＰタイトル名と放送局と時間から成るカンマや改行記号等の記号にて区切られたデータからなるデータベース情報として管理し、選択手段にて特定のＵＲＬとパソコンや携帯電話を選択し、ＵＲＬとＨＰタイトル名等を情報をパソコンへ提供したり、ＱＲコードを携帯電話の為にテレビ画面に表示させ、パソコン又は携帯電話で特定のＨＰ表示を可能にするものです。赤外線リモコン操作にてＵＲＬバッファメモリーに記憶したＣＭや番組のＨＰのＵＲＬを、放映中にＵＲＬとＨＰタイトル名履歴メモリーに書き込み、一覧表管理し、選択手段にて、メニューからの指示にて、パソコンへの情報提供又はＱＲコードに変換しテレビ画面に表示させる事を可能にするものです。パソコン側では、ＵＲＬ等のデータをパソコン内の暗号化手段にて暗号化を行い、無線マウスの受信通信部と無線制御回路とＨＤＤ内のマウス用の無線通信プロトコル等からなる通信プログラムを実行し、無線マウスの無線通信機能を利用し、他人にデータを盗み見られる事なく、パソコン内のＵＲＬとＨＰタイトル名メモリーに書き込み、ＨＤＤ内のお気に入り・履歴追記・書込み手段にてＨＰ閲覧ソフトのお気に入りや履歴への追加・書き替えを行うものです。
【実施例】
【０００７】図１にてテレビ並びに記録装置の具体的な実施例について説明します。メインＣＰＵのバスラインに接続され、ＵＲＬ抽出・表示・管理・選択・ＥＰＧ管理・チューナーや赤外線リモコン等の回路区画のデータ処理・管理の為、メインＣＰＵから独立した命令セットを実行可能なサブＣＰＵを採用し、その直下に高速書き込みが可能なＵＲＬ・ＨＰタイトル名を記憶する為の３区画からなるバッファメモリーを内蔵し、書き込み・保存・消去のシーケンスを繰り返し、常に視聴中のＣＭ又は番組のＵＲＬ・ＨＰタイトルデータをバッファに記憶し、サブＣＰＵにて赤外線リモコン操作を検知し、バッファのデータを視聴履歴メモリーへ書き込み、データを保存する。  サブＣＰＵに接続された赤外線通信インターフェイスを介して赤外線リモコンによる記憶指示ボタン等の指令に基づき、ＵＲＬバッファメモリー内のＵＲＬデータを履歴メモリーに逐次書き込みするものです。本考案の基本的な実施例としては、テレビや記録装置側にサブＣＰＵとバッファメモリーとＵＲＬを抽出する手段と受信時間と放送局名を生成し、データベース化、一覧表管理、選択手段からなるインストラクションのプログラムを記憶したメモリーの内蔵、赤外線リモコン制御制御回路を内蔵し、ＵＲＬの履歴メモリー内の選択したＵＲＬとＨＰタイトル名を携帯電話用の二次元バーコード変換・表示部にて、ＵＲＬのＱＲコードへの変換・表示を行うと共に、パソコン側にてデータのＨＰ閲覧ソフトへの追加書き込みを行うＨＤＤ内の書替えソフトの実行によりパソコンにてＨＰ表示を可能にするものです。携帯電話のＨＰは、携帯電話会社ごとにＨＰの仕様が異なる場合を想定し、横長のハイビジョンの画面に２つ又は３つのＱＲコードの並べ配置させ、電話会社のＨＰを選び、電話会社ごとのＱＲコードを撮影し、携帯電話でのＨＰの表示可能にするものです。本考案の記録装置に於いて、テレビ放映されたＭＰＥＧデータと複数のＵＲＬ・ＨＰタイトル名に、チャンネル名メモリーのデータと時計機能にて生成した日時のデータと組み合わせ、ＭＰＥＧデータとリンクを貼りつつ、ＭＰＥＧの映像と音声データと共にＨＤＤやＤＶＤやＢＤメディアへの書込みを行い、これらのメディアで再生時に於ける赤外線リモコンからのボタン操作にてＵＲＬとＨＰタイトル名の抽出、ＵＲＬの活用が可能にする。
【図面の簡単な説明】
【０００８】【図１】本考案のテレビと記録装置と携帯電話とパソコンの接続を示す外観図
【図２】本考案のテレビのブロック回路図
【図３】本考案のテレビと記録装置と携帯電話の関係を示す外観図
【図４】本考案のテレビと記録装置のＵＲＬ等を活用可能なパソコンのブロック回路図
【図５】本考案の記録装置のブロック回路図
【符号の説明】
【０００９】  １  パソコンの表示部  ２  液晶パネル  ３  パソコンのキーボード  ４  ノートパソコン本体  ５  タッチパッド  ６  無線通信マウス、親機、無線受信部  ７  無線マウス本体  ８  無線通信の電波  ９  インターネット接続可能なデジタルカメラ内蔵の携帯電話１０  テレビ１１  テレビ、記録装置用の赤外線リモコン１２  ＵＲＬとタイトル名の記憶、ＱＲコードの表示、パソコンへのデータ送信指示ボタン１３  ＱＲコード、仕様の異なる複数の携帯電話会社のＨＰ毎のＵＲＬ表示の為のＱＲコード１４  記録装置１５  赤外線・無線、テレビと記録装置用赤外線リモコン
【図１】
0003149325.tif 000003
【図２】
0003149325.tif 000004
【図３】
0003149325.tif 000005
【図４】
0003149325.tif 000006
【図５】
0003149325.tif 000007
【手続補正書】
【提出日】平成20年12月17日(2008.12.17)
【手続補正１】
【補正対象書類名】実用新案登録請求の範囲
【補正対象項目名】全文
【補正方法】変更
【補正の内容】
【実用新案登録請求の範囲】
【請求項１】
表示素子パネル、スピーカー、駆動ＬＳＩ、制御回路、チューナー回路、ＣＰＵ、ＲＡＭ・ＲＯＭ・フラッシュメモリー記憶装置、ビデオＬＳＩ、電源回路、ＰＣＢ、Ｄ／Ａコンバータ、リモートコントローラ、キャビネット、操作パネル、外部記憶装置および該記憶装置への書き込みインターフェイス、時計機能、ＱＲコード（登録商標）変換手段、ＱＲコード表示手段を有するテレビと、前記テレビの画像および音声を記録するための記録装置と、前記テレビおよび記録装置の少なくともいずれかとの通信インターフェイスと無線マウスを有し、インターネットに接続されているパーソナルコンピュータまたは携帯電話を有し、デジタル放送のＣＭ・番組のＵＲＬを前記パーソナルコンピュータまたは前記携帯電話に表示可能なテレビおよび記録装置において、前記ＣＰＵはメインＣＰＵおよびサブＣＰＵの二つのＣＰＵからなり、前記メインＣＰＵは、主として、ハイビジョン放送の表示駆動制御、音声の再生、前記表示素子パネル駆動のためのデータ処理と管理キャパシティが割り当てられ、文字放送のＣＭまたは番組毎に、複数のＵＲＬおよびホームページタイトルを受信・抽出してサブＣＰＵから独立した直下のＲＡＭのバッファメモリーに常時記憶し、前記リモートコントローラの操作によりサブＣＰＵから独立した直下のＲＡＭ又はフラッシュメモリーの視聴履歴メモリーに書き込み、パソコンや携帯電話でホームページを表示するための、テレビ放送受信・復調・多重分離・ＭＰＥＧデコードを含む処理を行うテレビチューナーブロックの制御、およびＵＲＬ抽出・記憶・管理・ホームページ表示のため情報利用や電子番組表のＥＰＧ管理、リモートコントローラの制御を含むＪＯＢに特化した命令セットを実行する機能を有し、サブＣＰＵは、前記メインＣＰＵのバスライン直下に接続され、チューナー・ＵＲＬ抽出・表示・選択・利用・電子番組表のＥＰＧ管理・リモートコントローラ制御の回路区画ブロックを管理・制御する機能と、デジタル放送の映像・音声データの復調・多重分離装置やＭＰＥＧビデオとＭＰＥＧオーディオデータのデコードを含む処理にてＣＭや番組を前記表示素子パネルと前記スピーカーにて再生し、同時にリアルタイムで受信されたＣＭや番組のＵＲＬ・ホームページタイトル名の抽出手段と、視聴中の番組、ＣＭのＵＲＬ・ホームページタイトル名を常時記憶するための前記バッファメモリーと前記リモートコントローラの操作によりバッファメモリー内のデータの保存のために書き込みを行う前記視聴履歴メモリーと視聴履歴一覧表管理・表示・選択する手段と、視聴履歴メモリーに、カンマ又は改行記号の記号を区切りとする視聴履歴データを記憶し、データベースの一覧表としてメニュー管理し、前記視聴履歴一覧表より任意のＵＲＬ・ホームページタイトル名を選択し、前記無線マウスの前記パーソナルコンピュータ側の無線通信回線に通信する手段を有し、前記メインＣＰＵにてハイビジョンテレビ放送を受信して映像・音声再生を行うと同時に、前記記録装置においては、前記記憶装置に内蔵される記録媒体への書き込みのデータ処理をしつつ、前記サブＣＰＵと前記サブＣＰＵ直下の専用のメモリー内の命令セットを実行し、前記パーソナルコンピュータには、デジタル放送で受信したＵＲＬデータを前記パーソナルコンピュータで活用するための、パーソナルコンピュータのＨＤＤ内のホームページ閲覧ソフトのお気に入り・履歴データへデータの追記・書き替える機能を有するソフトウエアがインストールされ、ＵＲＬとホームページタイトルを、前記パーソナルコンピュータの前記無線マウスの無線通信回線と通信プロトコルにより、前記パーソナルコンピュータにＵＲＬとホームページタイトル名を送信し、また携帯電話用に二次元バーコードに変換しテレビに表示する手段を内蔵し、放映されたＣＭまたは番組の特定のホームページを、検索エンジンとキーワードを一切使わずに、前記パーソナルコンピュータまたは携帯電話に表示可能なことを特徴とするパーソナルコンピュータまたは携帯電話と、テレビと、記録装置の組合せ。
【請求項２】
メインＣＰＵにてハイビジョン放送のデータ処理し・表示素子パネルとスピーカーから映像と音声を再生しつつ、前記の再生とＵＲＬ抽出・記憶の並列処理を目指した請求項１記載のサブＣＰＵを内蔵し、ＵＲＬ情報の抽出・パーソナルコンピュータ並びに携帯電話での活用とＥＰＧの管理と赤外線リモコンを制御・管理し常時ＵＲＬとＨＰタイトル名を記憶するＵＲＬ・ＨＰタイトル名バッファメモリーと命令セットのプログラムを記憶したメモリーと時計機能と視聴中のチャンネル情報のメモリーをサブＣＰＵ直下に配し、受信された放送データよりＵＲＬとＨＰタイトル名を抽出し、視聴チャンネル名と時間を生成し、カンマ又は改行記号等でデータを区切られたＵＲＬとＨＰタイトル名と放送局と放映時間からなるデータベースのデータをＵＲＬバッファメモリーに常時更新記憶し、赤外線リモコンによる操作に基づきこのデータを視聴履歴メモリーに書き込み・蓄積し、前記テレビ画面に表示する為の一覧表管理・表示・選択手段とＵＲＬデータに基づき複数社の携帯電話会社用のＨＰを表示可能な二次元バーコードにデータ変換し、このコード情報を前記テレビ画面に表示させ、携帯電話に内蔵されているデジタルカメラにて撮影させ、放映された番組やＣＭの携帯電話用のＨＰを検索エンジンとキーワードを一切使用せずにインターネットに接続された携帯電話にて表示させる事が可能な事を特徴とする請求項１記載の構成のパーソナルコンピュータまたは携帯電話と、テレビと、記録装置の組合せ。
【請求項３】
前記サブＣＰＵとその直下に専用メモリーとＵＲＬ・ＨＰタイトル名の受信手段と、複数のＵＲＬ・ＨＰタイトル名の抽出手段と、ＪＯＢを実行するプログラムを記憶したメモリーと、複数の区画からなる構造を採用し書き込み・保持・消去のサイクルを各区画で位相を変えＡ・Ｂ・Ｃ・Ａ・Ｂ・・区画の順番を繰返し視聴中の番組・ＣＭや番組のＵＲＬ・ＨＰタイトル名を常時記憶する為の前記バッファメモリーと、前記赤外線リモコン操作により前記バッファメモリーの内容を視聴履歴メモリーへの書き込みを行う一覧表管理手段を内蔵し、カンマ又は改行等の記号にてデータとデータを区切られた視聴履歴データとして管理し、テレビ画面に表示する為の一覧表管理・表示・選択手段の内蔵により一覧表としてデータ管理し一覧表メニューからの特定のＵＲＬを赤外線リモコンによる選択により、特定のＵＲＬのＨＰをインターネット接続された前記パーソナルコンピュータ又は前記携帯電話で特定のＨＰの表示が可能な事を特徴とする請求項１記載の構成のパーソナルコンピュータまたは携帯電話と、テレビと、記録装置の組合せ。
【請求項４】
前記サブＣＰＵとその直下に専用メモリーとＵＲＬ・ＨＰタイトル名の受信手段と、複数のＵＲＬ・ＨＰタイトル名の抽出手段と、複数の区画からなる区画を採用したバッファメモリーと視聴履歴メモリーと無線マウスの周波数と通信プロトコルを利用しインターネット接続パソコンにＵＲＬとＨＰタイトル名を請求項１記載の無線マウスのパソコン側での無線通信回線に合わせ通信する手段をテレビや記録装置内に内蔵し、またパソコン側に無線制御回路と無線通信部と通信周波数とプロトコルをパーソナルコンピュータ内の前記記憶装置内に記憶し、パーソナルコンピュータ側とテレビ側の初期設定にて無線通信を成立させマッチングを図り周波数帯域とプロトコルを合わせる設定データをパソコンの記憶装置内に記憶可能な事を特徴とする請求項１記載の構成のパーソナルコンピュータまたは携帯電話と、テレビと、記録装置の組合せ。
【請求項５】
パーソナルコンピュータへのＵＲＬとＨＰタイトル名の取り込み・情報提供の際に、ＵＲＬ・ＨＰタイトル名の受信手段と複数のＵＲＬ・ＨＰタイトル名の抽出手段と視聴中の番組やＣＭのＵＲＬ・ＨＰタイトル名を常時記憶する為のバッファメモリーと赤外線リモコン操作によりカンマ又は改行等の記号を区切りとする視聴したバッファメモリー内に記憶したＵＲＬとＨＰタイトル名のデータの書き込みを行う視聴履歴メモリーとこれらにカンマ又は改行等の記号を区切りとする視聴履歴データの一覧表を管理しテレビ画面に表示する為の一覧表管理・表示手段、ＵＲＬ・ＨＰタイトル名を無線マウスのパーソナルコンピュータ側での無線通信回線に合わせ通信する手段をテレビ並びに記録装置内に内蔵し、パーソナルコンピュータ内の無線マウスの受信回線を利用し通信し、ＨＰ閲覧ソフトのお気に入りや履歴を書き替える為の書き替える請求項１記載のソフトウエアを前記記憶装置内で実行させる事により、ＵＲＬとＨＰタイトル名をパーソナルコンピュータ側にてＣＭスポンサーやＣＭの商品の通販サイトや番組のＨＰをインターネットに接続された前記パーソナルコンピュータで正確に迅速に手間を掛けずにスマートに正確に表示できる事を特徴とする請求項１に記載の構成のパーソナルコンピュータまたは携帯電話と、テレビと、記録装置の組合せ。
【請求項６】
ＵＲＬ・ＨＰタイトル名の受信手段とＵＲＬ・ＨＰタイトル名の抽出手段と視聴中の番組やＣＭのＵＲＬ・ＨＰタイトル名を常時記憶する為のバッファメモリーと前記赤外線リモコン操作によりに前記バッファメモリーの内容の書き込みを行う前記視聴履歴メモリーとカンマ又は改行等の記号を区切りとする視聴履歴データの一覧表を管理しテレビ画面に表示する為の一覧表表示手段、ＵＲＬ・ＨＰタイトル名を無線マウスのパーソナルコンピュータ側との無線通信回線に合わせて通信する手段をテレビ又は記録装置内に内蔵し、ＣＭや番組毎にＵＲＬとＨＰタイトル名と放送局と放映時間からなる視聴履歴を一日又は週単位で記憶・管理する事が可能な事を特徴とする請求項１に記載の構成のパーソナルコンピュータまたは携帯電話と、テレビと、記録装置の組合せ。
【請求項７】
テレビ放映されたＭＰＥＧデータと複数のＵＲＬ・ＨＰタイトル名に、チャンネル名メモリーのデータと前記時計機能にて生成した日時のデータと組み合わせカンマ又は改行等の記号で区切られた生成された文字記号情報を、ＭＰＥＧデータとリンクを貼りつつＭＰＥＧの映像と音声データと共に記録装置の記録媒体への記憶書込みを行い、これらのメディアで録画データの再生時に於ける前記赤外線リモコンのボタン操作にてＵＲＬとＨＰタイトル名とチャンネル名と日時を抽出し、一覧表から選択し、ＵＲＬ情報のパーソナルコンピュータや携帯電話への情報提供・活用が可能な事を特徴とする請求項１ないし請求項６のいずれかに記載の構成のパーソナルコンピュータまたは携帯電話と、テレビと、記録装置の組合せ。
【請求項８】
前記テレビ、前記記憶装置、前記パーソナルコンピュータとの間の無線通信の際の盗み見を防止する為の暗号化手段を、前記記憶装置が有し、前記テレビ・前記記憶装置、前記パーソナルコンピュータとの間の無線通信の際の盗み見を防止するための復号化手段を、前記パーソナルコンピュータが有する事を特徴とする、請求項１ないし請求項７の何れかに記載の構成のパーソナルコンピュータまたは携帯電話と、テレビと、記録装置の組合せ。
【手続補正２】
【補正対象書類名】明細書
【補正対象項目名】０００４
【補正方法】変更
【補正の内容】
【０００４】本考案は、現在の地上デジタル放送やＢＳ放送等のデジタル放送にて送信されるデジタル電波にてインターネット上のＨＰを特定するアドレス番地であるＵＲＬとＨＰタイトル名からなる文字記号情報を送信し、テレビ又は記録装置側で受信し、これらの電子機器の全体のデータ処理を管理するメインＣＰＵの処理を主として表示モジュールや音声のＤ／Ａコンバータ等のハイビジョン放送の映像と音声の高画質・高音質再生に專念させ、映像と音声放送を再生しつつ、チューナーやＥＰＧの管理やＵＲＬの読取・管理・ＵＲＬ情報利用や復調・多重分離・ＭＰＥＧデコード等の処理の管理に特化する、メインＣＰＵのバスに接続されたメインＣＰＵから独立した自律的なデータ処理を行う記憶装置を配したサブＣＰＵの内蔵によりＥＰＧ管理とＵＲＬ抽出・記憶・管理・転送・ＭＰＥＧデコード等の回路区画のＪＯＢの並列高速処理を行い、画素数・走査線が多く・サラウンド高音質のオーディオの再生の為のデータ処理・制御にメインＣＰＵを特化させ、サブＣＰＵとの役割分担によりメインＣＰＵへの負担の軽減と次世代広告サービスを担うＵＲＬ活用機能の付加による、両ＣＰＵによるＪＯＢシェアリング、連携処理・管理によりデジタル放送の特長を最大限活かしたパフォーマンスを追求するものです。
受信された放送データより抽出したＵＲＬとＨＰタイトル名等データは、カンマやＴＡＢや改行等の記号で区切られた文字記号データとして記憶し、テレビや記録装置内のＵＲＬ・ＨＰタイトル名の抽出・記憶・管理・転送・利用と電子番組表のＥＰＧを管理する為のサブＣＰＵと直下にＵＲＬバッファメモリーと前記処理の実行プログラムを記憶したメモリーを配し、サブＣＰＵによる抽出等のインストラクションセットの実行処理を行い、視聴中の番組情報を検知し、ＵＲＬとＨＰタイトル名と放送局と時間から成るカンマや改行記号等の記号にて区切られたデータからなるデータベース情報として管理し、選択手段にて任意のＵＲＬとパソコンや携帯電話を選択し、ＵＲＬとＨＰタイトル名等を情報をパソコンや携帯電話へ提供し、パソコン又は携帯電話で特定のＨＰ表示を可能にするものです。
メインＣＰＵのバスラインに接続されたＵＲＬ抽出・ＥＰＧ管理等用のメインＣＰＵから独立した命令セットを実行可能なサブＣＰＵの直下に、高速書き込みが可能なＵＲＬ・ＨＰタイトル名を記憶する為の３区画からなるバッファメモリーを内蔵し、書き込み・保存・消去のシーケンスを繰り返し、常に視聴中のＣＭ又は番組のＵＲＬ・ＨＰタイトルデータをバッファに記憶し、赤外線リモコン操作により、これを視聴履歴メモリーへ書き込み、データを保存する。  サブＣＰＵに接続された赤外線通信インターフェイスを介して赤外線リモコンによる記憶指示に基づき、ＵＲＬバッファメモリー内のデータを履歴メモリーに逐次追加記憶するものです。
ＵＲＬ・ＨＰタイトル名用メモリーと一覧表管理手段とＵＲＬ選択手段にて、赤外線リモコンからの指示に基づき、テレビや記録装置側のＵＲＬとＨＰタイトル名の履歴メモリーに複数のＵＲＬ・ＨＰタイトル名等を蓄積し、視聴履歴として一覧表管理を行い、赤外線リモコンからの選択指示に基づき、テレビ内の無線通信手段にて選択したデータをテレビ内のアンテナと無線通信手段にて無線マウスのパソコン側の受信手段を介してＵＲＬデータをパソコンへ無線通信にて転送し、パソコン用のお気に入り・履歴を追加書き替えプログラムにてＨＰ閲覧ソフトのお気に入りや履歴に追加・書き替えを行い、視聴者が放映された商品やサービスにつき、キーワードや検索エンジンを利用せずに、特定のＨＰをインターネット接続のパソコンにてスマートにスピーディに面倒を掛けずにＨＰ閲覧できる事を特徴とするテレビ並びに記録装置に関するものです。
更に現在大半の携帯電話に装備されているデジタルカメラで特定のＨＰの表示を目指し、赤外線リモコンの操作に基づき、記憶した視聴履歴一覧表より任意のデータを選択し、ＵＲＬの二次元バーコード変換・表示部にて二次元バーコードのＱＲコード（登録商標）に変換しメモリーに記憶しＵＲＬをテレビ内で携帯電話会社毎のＵＲＬのＱＲコードのＨＰを、テレビの画面にＨＰタイトル名付きで表示させ、携帯電話のカメラにて撮影し取り込み、インターネット接続の携帯電話にてＨＰを表示可能にするものです。
【手続補正３】
【補正対象書類名】明細書
【補正対象項目名】０００５
【補正方法】変更
【補正の内容】
【０００５】現在の地上デジタルやＢＳ放送等のデジタル放送の文字情報にて、パソコンのＨＰ閲覧ソフトと携帯電話でのＨＰ表示利用を目的に、ＵＲＬとＨＰタイトル名を抽出・記憶・管理・選択・ＰＣへ通信・ＱＲコード（登録商標）表示を行い、ＨＰ表示を行う。
テレビや記録装置側でデータを受信したＵＲＬ等のデータを、サブＣＰＵと専用の命令セットのメモリーを配する事により、ＴＡＢや改行等の記号で区切られたＵＲＬとＨＰタイトル名としてＵＲＬバッファメモリーに記憶し、テレビの赤外線リモコンによるボタン操作にてテレビ内の視聴履歴メモリーへ視聴中の放送局名と受信時間のデータを追加し、ＵＲＬとＨＰタイトル名履歴メモリーへ書き込みを行い、データベースとして管理・表示・選択により、無線通信マウスのパソコン側の受信回線を介してパソコンに取り込み、ＨＰ閲覧ソフトのお気に入りや履歴に追加記憶する事により、ＣＭや番組を視聴し気に入った商品やサービスが放映された場合、詳細なＨＰをインターネットに接続されたパソコンでＨＰを表示させる事が可能なテレビ並びに記録装置を実現するものです。
更に携帯電話用には、赤外線リモコンのボタン操作指示により視聴ＵＲＬ一覧表画面より取り込みたいＵＲＬとＨＰタイトル名を選択し、ＱＲコードに変換し、携帯電話のデジタルカメラで撮影、ＵＲＬを取り込み可能な正方形の二次元ＱＲコードとしてテレビ画面に表示させ、カメラで撮影し、携帯電話にＨＰを表示させる事が可能なテレビ並びに記録装置。
この事により、テレビ視聴者によるタイムリーなＨＰへのアクセス誘導により、テレビＣＭの広告宣伝サービスの質を高め、テレビショッピング番組で商品ごとに特定の商品のＨＰの表示を可能にし、視聴者参加番組での利用による視聴者の参画を可能にし、スポンサーのベネフィットを高め、広告宣伝需要の拡大を図ると共に、顧客に利便性の提供を目指すものです。  その結果として国内での消費拡大によりスタグフレーションが進行し低迷しつつある経済下で消費の拡大により、景気を回復軌道に押し上げるものです。
【手続補正４】
【補正対象書類名】明細書
【補正対象項目名】０００６
【補正方法】変更
【補正の内容】
【０００６】本考案を実現するための最良の形態について説明します。本考案は、現在急速に普及しつつある薄型ハイビジョンテレビの高精細・大容量表示とサラウンドオーディオのハイスペックを活かしつつ、ＣＭや番組の動画や音声再生と共に、受信したＵＲＬとＨＰタイトル名の情報を記憶し、テレビや記録装置にてパソコンや携帯電話でＨＰ表示を可能にする。
受信された放送データよりＵＲＬとＨＰタイトル名抽出手段にて抽出したＵＲＬと視聴履歴一覧表管理・表示・選択手段とＵＲＬバッファメモリーの採用により、ＨＰタイトル名等のデータを、カンマやＴＡＢや改行等の記号で区切られた文字記号データとして一覧表データベースとして記憶・管理・表示・選択し、テレビや記録装置内でのＵＲＬ・ＨＰタイトル名の抽出・記憶・管理・転送・利用とＥＰＧ受信・表示・管理のＪＯＢを管理する為、サブＣＰＵと直下にＵＲＬバッファメモリーと前記処理の実行プログラムを記憶したメモリーを配し、サブＣＰＵによるＥＰＧ管理とテレビチューナーの管理と、ＵＲＬとＨＰタイトル名の記憶・抽出・管理・表示・選択等のインストラクションセットの実行処理を行い、視聴中の番組情報を検出し、ＵＲＬとＨＰタイトル名と放送局と時間から成るカンマや改行記号等の記号にて区切られたデータからなるデータベース情報として管理し、選択手段にて特定のＵＲＬとパソコンや携帯電話を選択し、ＵＲＬとＨＰタイトル名等を情報をパソコンへ提供したり、ＱＲコード（登録商標）を携帯電話の為にテレビ画面に表示させ、パソコン又は携帯電話で特定のＨＰ表示を可能にするものです。
赤外線リモコン操作にてＵＲＬバッファメモリーに記憶したＣＭや番組のＨＰのＵＲＬを、放映中にＵＲＬとＨＰタイトル名履歴メモリーに書き込み、一覧表管理し、選択手段にて、メニューからの指示にて、パソコンへの情報提供又はＱＲコードに変換しテレビ画面に表示させる事を可能にするものです。
パソコン側では、ＵＲＬ等のデータをパソコン内の暗号化手段にて暗号化を行い、無線マウスの受信通信部と無線制御回路とＨＤＤ内のマウス用の無線通信プロトコル等からなる通信プログラムを実行し、無線マウスの無線通信機能を利用し、他人にデータを盗み見られる事なく、パソコン内のＵＲＬとＨＰタイトル名メモリーに書き込み、ＨＤＤ内のお気に入り・履歴追記・書込み手段にてＨＰ閲覧ソフトのお気に入りや履歴への追加・書き替えを行うものです。
【手続補正５】
【補正対象書類名】明細書
【補正対象項目名】０００７
【補正方法】変更
【補正の内容】
【０００７】図１にてテレビ並びに記録装置の具体的な実施例について説明します。
メインＣＰＵのバスラインに接続され、ＵＲＬ抽出・表示・管理・選択・ＥＰＧ管理・チューナーや赤外線リモコン等の回路区画のデータ処理・管理の為、メインＣＰＵから独立した命令セットを実行可能なサブＣＰＵを採用し、その直下に高速書き込みが可能なＵＲＬ・ＨＰタイトル名を記憶する為の３区画からなるバッファメモリーを内蔵し、書き込み・保存・消去のシーケンスを繰り返し、常に視聴中のＣＭ又は番組のＵＲＬ・ＨＰタイトルデータをバッファに記憶し、サブＣＰＵにて赤外線リモコン操作を検知し、バッファのデータを視聴履歴メモリーへ書き込み、データを保存する。  サブＣＰＵに接続された赤外線通信インターフェイスを介して赤外線リモコンによる記憶指示ボタン等の指令に基づき、ＵＲＬバッファメモリー内のＵＲＬデータを履歴メモリーに逐次書き込みするものです。
本考案の基本的な実施例としては、テレビや記録装置側にサブＣＰＵとバッファメモリーとＵＲＬを抽出する手段と受信時間と放送局名を生成し、データベース化、一覧表管理、選択手段からなるインストラクションのプログラムを記憶したメモリーの内蔵、赤外線リモコン制御制御回路を内蔵し、ＵＲＬの履歴メモリー内の選択したＵＲＬとＨＰタイトル名を携帯電話用の二次元バーコード変換・表示部にて、ＵＲＬのＱＲコード（登録商標）への変換・表示を行うと共に、パソコン側にてデータのＨＰ閲覧ソフトへの追加書き込みを行うＨＤＤ内の書替えソフトの実行によりパソコンにてＨＰ表示を可能にするものです。  携帯電話のＨＰは、携帯電話会社ごとにＨＰの仕様が異なる場合を想定し、横長のハイビジョンの画面に２つ又は３つのＱＲコードの並べ配置させ、電話会社のＨＰを選び、電話会社ごとのＱＲコードを撮影し、携帯電話でのＨＰの表示可能にするものです。
本考案の記録装置に於いて、テレビ放映されたＭＰＥＧデータと複数のＵＲＬ・ＨＰタイトル名に、チャンネル名メモリーのデータと時計機能にて生成した日時のデータと組み合わせ、ＭＰＥＧデータとリンクを貼りつつ、ＭＰＥＧの映像と音声データと共にＨＤＤやＤＶＤやＢＤメディアへの書込みを行い、これらのメディアで再生時に於ける赤外線リモコンからのボタン操作にてＵＲＬとＨＰタイトル名の抽出、ＵＲＬの活用が可能にする。
【手続補正６】
【補正対象書類名】明細書
【補正対象項目名】０００９
【補正方法】変更
【補正の内容】
【０００９】１  パソコンの表示部
２  液晶パネル
３  パソコンのキーボード
１６  ノートパソコン本体
１７  タッチパッド
１８  無線通信マウス、親機、無線受信部
１９  無線マウス本体
２０  無線通信の電波
２１  インターネット接続可能なデジタルカメラ内蔵の携帯電話
２２  テレビ
２３  テレビ、記録装置用の赤外線リモコン
２４  ＵＲＬとタイトル名の記憶、ＱＲコード（登録商標）の表示、パソコンへのデータ送信指示ボタン
２５  ＱＲコード、仕様の異なる複数の携帯電話会社のＨＰ毎のＵＲＬ表示の為のＱＲコード
２６  記録装置
２７  赤外線・無線、テレビと記録装置用赤外線リモコン